(57)【要約】【課題】  ウォータジャケットを区画形成する部分の成形性を容易としてその設計の自由度を高め、ひいてはより信頼性の高い構造を容易に実現することのできるエンジンを提供する。【解決手段】  エンジンのシリンダブロック１０を構成する部分が、ウォータジャケット５０とする部位を境に、シリンダ側の壁面を構成するシリンダブロック本体４と、ウォータジャケット５０を囲む外側壁６とに分割された分割体から構成される。また、外側壁６はシリンダブロック本体４の上部に設けられるシリンダヘッド７と一体の構造体として形成される。【選択図】      図５
2005133688.tif 000002
【特許請求の範囲】
【請求項１】
ウォータジャケットとする部位を境に、シリンダ側の壁面を構成するシリンダブロック本体と、同ウォータジャケットとする部位を囲む外側壁とが分割されてなり、且つ、前記外側壁が前記シリンダブロック本体の上部に配されるシリンダヘッドに一体に形成されてなるエンジン。
【請求項２】
ウォータジャケットとする部位に対してシリンダ側の壁面を構成するシリンダブロック本体と、
前記ウォータジャケットとする部位を囲む外側壁を有して前記シリンダブロック本体の上部に設けられるシリンダヘッドと、
を備えるエンジン。
【請求項３】
シリンダブロックを構成する部分が、ウォータジャケットとする部位を境に、シリンダ側の壁面を構成するシリンダブロック本体と、ウォータジャケットを囲む外側壁とに分割された分割体からなるエンジンであって、
前記外側壁が、前記シリンダブロック本体の上部に設けられるシリンダヘッドと一体の構造体として形成されてなる
ことを特徴とするエンジン。
【請求項４】
請求項１〜３のいずれか一項に記載のエンジンにおいて、
前記シリンダブロック本体と前記シリンダヘッドとは、シリンダの軸方向に挿入されるボルトによって締結固定されてなる
ことを特徴とするエンジン。
【請求項５】
請求項１〜４のいずれか一項に記載のエンジンにおいて、
前記シリンダブロック本体には前記外側壁の底面と接合される面が設けられてなり、それらシリンダブロック本体と外側壁との接合面には、互いの接合位置を位置決めする位置決め手段が設けられてなる
ことを特徴とするエンジン。
【請求項６】
請求項１〜５のいずれか一項に記載のエンジンにおいて、
前記シリンダブロック本体が、アルミニウム合金及びマグネシウム合金のいずれかを用いた鋳造により成形されてなる
ことを特徴とするエンジン。
【請求項７】
前記シリンダブロック本体のボア部分にはシリンダライナが鋳込まれてなる
請求項６に記載のエンジン。
【請求項８】
前記シリンダブロック本体のボア部分には、耐摩耗性を付与する表面処理が施されてなる
請求項６に記載のエンジン。
【請求項９】
請求項１〜８のいずれか一項に記載のエンジンにおいて、
前記シリンダヘッドは、アルミニウム合金及びマグネシウム合金のいずれかを用いた鋳造により成形されてなる
ことを特徴とするエンジン。
【発明の詳細な説明】
【技術分野】
【０００１】
本発明は、車両等に搭載されるエンジンに関し、特に該エンジンとしての本体構造の改良に関するものである。
【背景技術】
【０００２】
一般に、この種のエンジン、すなわちガソリンエンジンやディーゼルエンジンにあって、そのシリンダブロックには通常、冷却水を循環させるためのウォータジャケットがシリンダの周囲を取り囲むように形成されている。そして従来、このようなウォータジャケットをシリンダの周囲に形成しているシリンダブロック構造をもつエンジンとしては、例えば特許文献１に記載のエンジン等がある。同文献に記載のエンジンでは、シリンダ壁とウォータジャケット壁とを一体に形成するとともに、ウォータジャケット壁の肉厚が増大する部位に樹脂ケーシングをボルトにより取り付けることで軽量化を図るようにしている。
【特許文献１】特開平５−２９６１０３号公報
【発明の開示】
【発明が解決しようとする課題】
【０００３】
ところで、冷却水による冷却能力が十分であって燃焼性の観点から必要以上にシリンダを冷却したくない場合、あるいはエンジンの小型化や上述した軽量化を考慮した場合には、ウォータジャケットの幅を狭く形成することが望ましい。
【０００４】
この点、前記特許文献１のごとく、シリンダブロック内にウォータジャケットを鋳造で一体成形する場合にあって、同ウォータジャケットの幅を狭くするには、ウォータジャケットを成形する部分の鋳造型についてもこれを薄くする必要がある。
【０００５】
しかし、鋳造型にこのような薄い部分を設けると、シリンダブロックの鋳造時には自ずとウォータジャケットの型部分に破損や消耗が生じやすくなり、型寿命が短くなるという問題が生じる。すなわち、ウォータジャケットの型部分の薄肉化には限界がある。このため、ウォータジャケットは、その幅方向の寸法をある程度大きく確保せざるをえず、またこうした幅方向の形状についても、その自由度は自ずと低くなる。そしてその結果、エンジン全体の大型化を招いたり、あるいはシリンダの過冷却や過加熱等といった不都合も生じやすくなる。
【０００６】
本発明はこうした実情に鑑みてなされたものであって、その目的は、ウォータジャケットを区画形成する部分の成形性を容易としてその設計の自由度を高め、ひいてはより信頼性の高い構造を容易に実現することのできるエンジンを提供することにある。
【課題を解決するための手段】
【０００７】
以下、上記目的を達成するための手段及びその作用効果について記載する。
請求項１に記載の発明は、ウォータジャケットとする部位を境に、シリンダ側の壁面を構成するシリンダブロック本体と、同ウォータジャケットとする部位を囲む外側壁とが分割されてなり、且つ、前記外側壁が前記シリンダブロック本体の上部に配されるシリンダヘッドに一体に形成されてなるエンジンであることをその要旨とする。
【０００８】
また、請求項２に記載の発明は、ウォータジャケットとする部位に対してシリンダ側の壁面を構成するシリンダブロック本体と、前記ウォータジャケットとする部位を囲む外側壁を有して前記シリンダブロック本体の上部に設けられるシリンダヘッドと、を備えるエンジンであることをその要旨とする。
【０００９】
また、請求項３に記載の発明は、シリンダブロックを構成する部分が、ウォータジャケットとする部位を境に、シリンダ側の壁面を構成するシリンダブロック本体と、ウォータジャケットを囲む外側壁とに分割された分割体からなるエンジンであって、前記外側壁が、前記シリンダブロック本体の上部に設けられるシリンダヘッドと一体の構造体として形成されてなることをその要旨とする。
【００１０】
これら請求項１〜３に記載のエンジンによればいずれも、ウォータジャケットを区画形成するシリンダ側の壁面と上記外側壁とが分割形成されている。このため各壁面を形成する場合、特に鋳造にて成形する場合に、鋳造型においてはウォータジャケットを成形する型部分は薄くする必要がなくなる。すなわち、シリンダブロック本体の鋳造型は、ウォータジャケットの内側に対応する部分の表面を成形すればよいことから、該鋳造型自体の幅方向についてはウォータジャケットの幅に関係なく十分に厚くすることができる。同様に外側壁についても、鋳造する場合には、鋳造型においてはウォータジャケットの外側に対応する部分の表面を成形すればよいことから、該鋳造型自体の幅方向についてはウォータジャケットの幅に関係なく十分に厚くすることができる。このようにウォータジャケットの幅を狭く形成するに際してもそれぞれ鋳造型自体は厚く形成することができるため、型寿命の悪化が抑制される。しかも、これらエンジンはいずれも、上記外側壁がシリンダヘッドに一体の構造体として形成されている。そのため、外側壁とシリンダヘッドとを別体に形成する場合と比較して、例えば鋳造型の個数やエンジンの組み付け工数等を削除することができるようにもなる。その結果、製造コストの低減を図りつつ、ウォータジャケットを区画形成する部分の成形性を容易として、その設計の自由度を高めることができ、ひいては信頼性の高い構造を有するエンジンを容易に実現することができるようになる。
【００１１】
また、
請求項４に記載の発明は、請求項１〜３のいずれか一項に記載のエンジンにおいて、前記シリンダブロック本体と前記シリンダヘッドとは、シリンダの軸方向に挿入されるボルトによって締結固定されてなることをその要旨とする。
【００１２】
同構成では、シリンダブロック本体とシリンダヘッドとが、シリンダの軸方向に挿入されるボルトで締結固定される。そのため、燃焼・圧縮行程においてシリンダヘッドを上方に押し上げる力が作用するとともに、シリンダブロック本体を下方に押し下げる力が作用しても、これらの力が上記ボルトを介してシリンダブロック本体のシリンダ壁や外側壁に作用することはなく、もってシリンダの変形等に対する信頼性を向上させることができるようになる。
【００１３】
請求項５に記載の発明は、請求項１〜４のいずれか一項に記載のエンジンにおいて、前記シリンダブロック本体には前記外側壁の底面と接合される面が設けられてなり、それらシリンダブロック本体と外側壁との接合面には、互いの接合位置を位置決めする位置決め手段が設けられてなることをその要旨とする。
【００１４】
同構成によれば、上記位置決め手段が形成されていることにより、シリンダブロック本体と外側壁とを迅速にかつ正確に組み合わせることができるようになる。すなわち、これによっても製造コストの削減が図られるようになる。
【００１５】
請求項６に記載の発明は、請求項１〜５のいずれか一項に記載のエンジンにおいて、前記シリンダブロック本体が、アルミニウム合金及びマグネシウム合金のいずれかを用いた鋳造により成形されてなることをその要旨とする。
【００１６】
同構成によれば、当該エンジンをより軽量化することができる。
請求項７に記載の発明は、請求項６に記載のエンジンにおいて、前記シリンダブロック本体のボア部分にはシリンダライナが鋳込まれてなることをその要旨とする。
【００１７】
同構成によれば、鋳物であるシリンダブロック本体の中にシリンダライナが鋳込まれる。そのため、シリンダライナとしての強度（耐摩耗性）を確保しつつその肉厚を薄くすることができ、もって当該エンジンとしての軽量化を図ることができる。
【００１８】
請求項８に記載の発明は、請求項６に記載のエンジンにおいて、前記シリンダブロック本体のボア部分には、耐摩耗性を付与する表面処理が施されてなることをその要旨とする。
【００１９】
同構成によれば、シリンダブロック本体にシリンダライナを鋳込まずともその耐摩耗性を確保することが可能となり、当該エンジンとしての更なる軽量化を図ることができる。
請求項９に記載の発明は、請求項１〜８のいずれか一項に記載のエンジンにおいて、前記シリンダヘッドは、アルミニウム合金及びマグネシウム合金のいずれかを用いた鋳造により成形されてなることをその要旨とする。
【００２０】
同構成によっても、当該エンジンとしての軽量化が可能となり、特に請求項６〜８に記載の発明との組み合わせによれば、その軽量化の更なる促進が図られるようにもなる。
【発明を実施するための最良の形態】
【００２１】
以下、この発明にかかるエンジンを具体化した一実施形態について、図１〜図６に基づき詳細に説明する。
図１は、この実施形態にかかるエンジンである直列４気筒エンジンについてその外観構造を示したものである。このエンジンは、図２に分解斜視図として示すごとく、シリンダブロック本体４と、シリンダブロックの外側壁６及びシリンダヘッド７の一体構造体からなるシリンダヘッド部８とが分割されて構成されている。
【００２２】
ここで、シリンダブロック本体４は、アルミニウム合金やマグネシウム合金により一体に鋳造されている。そして、このシリンダブロック本体４は、同図２に示されるように、上部に設けられた円筒状の４つのシリンダ１２、下部に設けられたスカート１４、及びシリンダ１２とスカート１４との中間に設けられた外側壁載置部１６を備えている。なお、これらスカート１４及び外側壁載置部１６の外側には、補強のためのリブ１８、２０が複数設けられている。
【００２３】
また、上記各シリンダ１２の内周面側には、ボアを形成する部分にシリンダライナ２２が鋳込まれている。このシリンダライナ２２としては、アルミニウム合金やマグネシウム合金よりも比重の高い鉄合金等といった耐摩耗性の高い材料が用いられている。
【００２４】
他方、上記外側壁載置部１６には全てのシリンダ１２を囲むようにシリンダ１２の軸方向とは直交する載置面２４が形成されている。更にこの載置面２４において、シリンダ１２の周り１０カ所にはボルトネジ穴２６が設けられている。また、同じく載置面２４において、対角位置の２カ所には、上記外側壁６を位置決めするためのノックピン２８が突出して設けられている。
【００２５】
一方、図３に示すように、また上述したようにシリンダヘッド部８は、シリンダブロック本体４の上部に配されるシリンダヘッド７とシリンダブロックの外側壁６とが一体に形成された構造体とされている。
【００２６】
ここで、上記外側壁６は、シリンダ１２の外周壁面１２ａ（図２参照）に対向して後述するウォータジャケットを形成する内周面３０を有して環状に成形されている。そして、この内周面３０は、上部内周面３０ａと下部内周面３０ｂとから構成されており、上部内周面３０ａよりも下部内周面３０ｂがシリンダ１２の外周壁面１２ａに近づくように所定の段差をもって成形されている。また、この外側壁６の外周には、複数のリブ４０、４２やウォータジャケットに対する冷却水の流入あるいは流出に用いられる冷却水口４４が設けられている。なお、このシリンダヘッド部８も、アルミニウム合金やマグネシウム合金によって鋳造されている。また、このシリンダヘッド部８には、内周面３０の軸方向に沿う１０カ所にボルト挿通孔３６が貫通形成されている。これらボルト挿通孔３６は、シリンダブロック本体４に設けられた上記１０カ所のボルトネジ穴２６にそれぞれ対応して設けられている。
【００２７】
図４に、こうしたシリンダヘッド部８の底面図を示す。この図４に示すように、シリンダヘッド部８（外側壁６）の下端には平面上の底面３４が形成されており、この底面３４には、シリンダブロック本体４側の上述したノックピン２８が挿入される位置決め穴３８が、同シリンダブロック本体４側のノックピン２８と対応する位置に形成されている。なお、上記ボルト挿通孔３６には金属製の鞘管を別途配設するようにしてもよい。
【００２８】
このような構成により、図１に示したごとく、シリンダブロック本体４とシリンダヘッド７に一体に形成された外側壁６とは、シリンダブロック本体４側のノックピン２８と外側壁６側の位置決め穴３８とにより位置決めされて組み合わされる。なお、これらノックピン２８と位置決め穴３８とが、シリンダブロック本体４と外側壁６との接合面に設けられて、互いの接合位置を位置決めする位置決め手段を構成している。
【００２９】
そして、このように組み合わされた本実施形態のエンジンは、図５にシリンダ部の縦断面を示すごとく、シリンダブロック本体４におけるシリンダ１２の外周壁面１２ａと、外側壁６の内周面３０との間に、ウォータジャケット５０が形成され、これら外周壁面１２ａと内周面３０とは該ウォータジャケット５０を挟んで対向するようになる。そして、シリンダ１２の燃焼室に近い側でより大きな冷却効果が得られるように、外側壁６の内周面３０のうち、上述した段差によって、上部内周面３０ａ側は下部内周面３０ｂ側に比較してウォータジャケット５０の幅が大きく設定されている。
【００３０】
本実施形態にあっては、このように、エンジンのシリンダブロック１０を構成する部分は、ウォータジャケット５０を境に、シリンダ１２側の壁面を構成するシリンダブロック本体４と、ウォータジャケット５０を囲む外側壁６とに分割された分割体から構成されている。さらに外側壁６は、シリンダブロック本体４の上部に設けられるシリンダヘッド７と一体の構造体として形成されている。
【００３１】
ちなみに、同図５、あるいは先の図２に示されるように、シリンダブロック本体４におけるシリンダ１２上端の内周デッキ面１２ｂとシリンダヘッド７との間にはガスケット１１が挟み込まれており、これによりシリンダ内の気密性が確保される。
【００３２】
また、シリンダブロック本体４の載置面２４あるいは外側壁６の底面３４のいずれか一方又は両方には、液体シール材（例えば、シリコン系シール材など）が予め塗布されている。これにより、上記載置面２４と底面３４との間がシールされ、ウォータジャケット５０からの水漏れが防止される。なお、液体シール材に代えて、ガスケットを配設するようにしてもよい。
【００３３】
また、外側壁６がアルミニウム合金やマグネシウム合金などの金属製の場合にはシールを目的とした溶接（例えば、ＴＩＧ溶接、ＭＩＧ溶接、レーザ溶接、摩擦攪拌溶接など）を施してもよい。すなわち、図５に示したごとくシリンダブロック本体４の載置面２４と外側壁６の底面３４とを接触させた状態で、外周側からシリンダブロック本体４と外側壁６との境界部分に溶接を施してもよい。
【００３４】
そして、図６にシリンダ間の縦断面斜視図を示すごとく、シリンダヘッド部８のボルト挿通孔３６にはそれぞれ締結ボルト５２が挿入され、これら締結ボルト５２はシリンダブロック本体４のボルトネジ穴２６に螺入される。これによりシリンダブロック本体４とシリンダヘッド部８とは締結ボルト５２によって締結固定される。
【００３５】
本実施形態ではこのように、シリンダブロック本体４とシリンダヘッド部８とをシリンダ１２の軸方向に挿入される締結ボルト５２で締結するようにしている。そのため、燃焼・圧縮行程においてシリンダヘッド部８を上方に押し上げる力が作用するとともに、シリンダブロック本体４を下方に押し下げる力が作用しても、これらの力が上記締結ボルト５２を介してシリンダ１２や外側壁６に作用することはなく、もってエンジンとしての信頼性の低下を抑制することができる。また、締結ボルト５２の軸線方向と上述した力の作用方向とはほぼ平行になるため、ボルトネジ穴２６やボルト挿通孔３６の変形等も抑制される。
【００３６】
以上説明したように、本実施形態にかかるエンジンによれば、次のような効果を得ることができる。
（１）少なくともシリンダブロック１０を構成する部分を、ウォータジャケット５０を挟んでシリンダブロック本体４と外側壁６とに分割して構成した。このため、シリンダブロック本体４及び外側壁６を形成する場合、特にこれらシリンダブロック本体４や外側壁６を鋳造にて成形する場合には、鋳造型としてウォータジャケット５０を成形する型部分を薄く形成する必要がなくなる。すなわち、シリンダブロック本体４や外側壁６の鋳造型は、それぞれウォータジャケット５０の内外の表面を形成すればよいことから、それら鋳造型自体の幅方向についてはウォータジャケット５０の幅に関係なく十分に厚くすることができる。このため、型寿命の悪化を好適に抑制することができる。また、ウォータジャケット５０を区画形成するシリンダ１２側の壁面及び外側壁６をそれぞれ別体にて形成するようにしているため、ウォータジャケット５０を区画形成する部分の成形性が容易になる。すなわち、それらの設計の自由度が高められ、ひいては信頼性の高い構造を有するエンジンを容易に実現することができるようになる。
【００３７】
（２）また、シリンダブロック本体４と外側壁６とを別体にて形成したことで、それら鋳造型の内部が複雑な形状にならず、その構造を単純化できる。このため、鋳造時に溶湯が鋳造型内を円滑に流れることともなり、鋳造品に鋳巣等も生じ難くなる。すなわち、これらシリンダブロック本体４や外側壁６を高い歩留まりにて製造することができ、製造コストを低減することができる。
【００３８】
（３）しかも、上記外側壁６とシリンダヘッド７とをシリンダヘッド部８として一体の構造体として形成するようにした。そのため、外側壁６とシリンダヘッド７とを別体に形成する場合と比較して、鋳造型の個数やエンジンの組み付け工数等を削減することができ、この点においても結果製造コストの低減を図ることができる。
【００３９】
（４）図２に示したように、鋳造されたシリンダブロック本体４のシリンダ１２は完全に露出している。このため、内周面や外周面からのシリンダ１２に対する各種加工（例えば、ネジ加工、ボア間冷却用加工など）や内周面や外周面からのシリンダライナ２２に対する加工、及びシリンダ１２周辺の加工を容易に行うことができる。同様に、外側壁６の内周面３０に対しても各種加工が容易である。これらのことから、ウォータジャケット５０の水路成形は非常に自由度が高いものとなり、ボア周りやボア間の温度の調節も容易となる。すなわち、ボア周りやボア間の温度分布を最適なものとして、ボアの形状歪みや燃焼に対する影響を制御でき、エンジン性能をより好適なものとすることが可能になる。
【００４０】
（５）シリンダブロック本体４の載置面２４にはノックピン２８を設けるとともに、外側壁６の底面３４には位置決め穴３８を設けるようにした。そのため、シリンダブロック本体４の載置面２４に対する外側壁６の配置を容易かつ正確に行うことができる。すなわち、これによっても製造コストの削減が図られるようになる。
【００４１】
（６）シリンダブロック本体４及びシリンダヘッド部８をアルミニウム合金やマグネシウム合金により鋳造することとした。このため、エンジンの軽量化を図ることができる。
（７）また、シリンダブロック本体４にシリンダライナ２２を鋳込むこととした。これにより、シリンダ１２の耐久性が向上するとともに、シリンダライナ２２自体としても肉厚の薄いものを使用することができる。これによってもエンジンの軽量化に貢献できる。
【００４２】
（８）シリンダブロック本体４とシリンダヘッド部８とをボルト挿通孔３６に挿入される締結ボルト５２で固定するようにした。すなわちシリンダブロック本体４とシリンダヘッド部８とをシリンダ１２の軸方向に挿入される締結ボルト５２で締結するようにした。そのため、燃焼・圧縮行程においてシリンダヘッド部８を上方に押し上げる力が作用するとともに、シリンダブロック本体４を下方に押し下げる力が作用しても、これらの力が締結ボルト５２を介してシリンダ１２や外側壁６に作用することはなく、もってシリンダの変形等に対する信頼性の低下を抑制することができる。
【００４３】
なお、上記実施形態は以下のように変更して実施することもできる。
・上記実施形態で示したウォータジャケットがシリンダヘッド７のウォータジャケットとしても機能するように、シリンダ１２の内周デッキ面１２ｂよりも上方にまで延びる態様でウォータジャケットを形成するようにしてもよい。すなわち、図５に対応する断面図として例えば図７に示すように、上記実施形態におけるシリンダヘッド部８を、同図７に示すシリンダヘッド部８’に変更するようにしてもよい。このシリンダヘッド部８’は、その一部を構成するシリンダヘッド７’の内部に冷却水が流通する溝６０が形成されており、同溝６０はシリンダヘッド部８’とシリンダブロック本体４とが組み合わされたときにウォータジャケット５０’の一部となる。このような構造によっても上記実施形態と同等あるいはそれに準じた作用効果を得ることができるとともに、シリンダヘッド側の冷却効果の更なる促進を図ることができるようになる。
【００４４】
・上記実施形態では、前述のようにシリンダブロック本体４に鋳巣が生じにくくなるため、シリンダ１２の内周面に鋳巣による欠陥も生じ難くなる。このため、溶射等の表面処理によってもボアとして十分に滑らかな面を形成することができる。そこで、シリンダブロック本体４のシリンダ１２に対するシリンダライナ２２の鋳込みを割愛し、シリンダ１２の内周面に溶射等による表面処理を施して耐摩耗性を付与するようにしてもよい。この場合には、製造コストの更なる低減を図ることができるとともに、エンジン全体としての更なる軽量化を図ることもできる。
【００４５】
・上記実施形態では、シリンダブロック本体４に対する外側壁６の位置決めを、２本のノックピンと２つの位置決め穴との係合により行うこととしたが、ノックピン２８と位置決め穴３８とを更に増加させてもよい。また、ノックピン２８と位置決め穴３８との組み合わせ以外の手段によって位置決め手段を構成するようにしてもよい。例えば、シリンダブロック本体４の外周面に外側壁６の底部が収容される枠等を設けるようにしてもよい。
【００４６】
・シリンダブロック本体４やシリンダヘッド部８を鋳鉄によって形成するようにしてもよい。
その他、上記実施形態から把握することができる技術思想について、以下にその効果とともに記載する。
【００４７】
（イ）エンジンのシリンダブロックに形成されるウォータジャケットとなる部位を囲む外側壁が一体の構造体として形成されてなるエンジンのシリンダヘッド。
このようなシリンダヘッドによれば、その採用によって前記請求項１〜３に記載のエンジンと同等の作用効果を得ることができる。
【００４８】
（ロ）上記（イ）に記載のエンジンのシリンダヘッドにおいて、当該シリンダヘッドが、アルミニウム合金及びマグネシウム合金のいずれかを用いた鋳造により成形されてなることを特徴とするエンジンのシリンダヘッド。
【００４９】
このようなシリンダヘッドによれば、その好適な軽量化が図られるようになる。
【図面の簡単な説明】
【００５０】
【図１】本発明にかかるエンジンについてその一実施形態を示す斜視図。
【図２】同実施形態にかかるエンジンの分解斜視図。
【図３】同実施形態におけるシリンダヘッド部の部分破断斜視図。
【図４】同実施形態におけるシリンダヘッド部の底面図。
【図５】同実施形態にかかるエンジンについて、シリンダの軸に沿って切断した断面図。
【図６】同実施形態にかかるエンジンについて、シリンダ間で切断した部分破断斜視図。
【図７】上記実施形態にかかるエンジンの変形例について、シリンダの軸に沿って切断した断面図。
【符号の説明】
【００５１】
４…シリンダブロック本体、６…外側壁、７、７’…シリンダヘッド、８、８’…シリンダヘッド部、１０…シリンダブロック、１１…ガスケット、１２…シリンダ、１２ａ…外周面、１２ｂ…内周デッキ面、１４…スカート、１６…外壁載置部、１８、２０…リブ、２２…シリンダライナ、２４…載置面、２６…ボルトネジ穴、２８…ノックピン、３０…内周面、３０ａ…上部内周面、３０ｂ…下部内周面、３４…底面、３６…ボルト挿通孔、３８…位置決め穴、４０、４２…リブ、４４…冷却水口、５０、５０’…ウォータジャケット、５２…締結ボルト、６０…溝。
【図１】
2005133688.tif 000003
【図２】
2005133688.tif 000004
【図３】
2005133688.tif 000005
【図４】
2005133688.tif 000006
【図５】
2005133688.tif 000007
【図６】
2005133688.tif 000008
【図７】
2005133688.tif 000009